(57)【特許請求の範囲】
【請求項１】
コ字形を形成するように、正面パネルの左右両端又は上下両端に差込プレートを設けた車両のダッシュボード用ブラケットであって、
ダッシュボードに設けられている、幅寸法と高さ寸法が規格化されたカーオーディオ装着用の凹所の左右の壁面に前記左右の差込プレートをそれぞれ固着できるように、若しくは前記上下の差込プレートを前記凹所の上下の壁面にそれぞれ固着できるように、ブラケットの幅寸法と高さ寸法を前記凹所の幅寸法と高さ寸法に合わせて設定し、
前記正面パネルに開口を形成するとともに、開口の背後に非純正機器を収納するため、左右両側面と底面から成る断面コ字形を有し、前後両端を開放した構造の収納部を設け、
前記正面パネルの幅寸法及び高さ寸法を前記凹所の前面開口を略覆蓋できるように設定し
一端に携帯型音楽プレーヤー若しくは情報端末を保持するホルダーを着脱自在に装着でき、かつホルダーの向きを上下方向又は左右方向に調整可能なジョイントを前記正面パネルの前面に固定したことを特徴とする車両のダッシュボード用ブラケット。
【発明の詳細な説明】
【技術分野】
【０００１】
本発明は、車両のダッシュボード用ブラケットに関し、より詳しくは車両のダッシュボードに設けられているカーオーディオ収納用の凹所に取り付けるダッシュボード用ブラケットに関する。
【背景技術】
【０００２】
近時、小型で膨大な曲数の映像や音楽を保存できる高性能の携帯型音楽プレーヤーまたは、携帯電話網を利用した高度情報端末が市場に供されている。多くのユーザーが車両に装備されている純正カーオーディオに代えて最新の携帯型音楽プレーヤーまたは、携帯電話網を利用した高度情報端末を利用したいという要望を持っている。
また、ユーザーは純正カーオーディオに替えて、より高性能の非純正カーオーディオを利用したいという要望を持っている。
【０００３】
通常、携帯型音楽プレーヤーを運転中に車内で利用するには、ダッシュボードの上面やセンターコンソールに専用のホルダーを用いて固定している。しかし、この種のホルダーは運転者の視界を遮らないように、カーエアコンの送風を遮らないように、あるいはカーエアコンの操作ボタンやシフトレバー等の操作の妨げにならないように取り付けなければならず、ホルダーの取り付け場所が限定される。また、取り付けたホルダーでダッシュボードやセンターコンソールの見栄えが悪くなる。同様に、純正カーオーディオに替えて非純正カーオーディオを使用する場合にも、その設置場所が制限される。
【先行技術文献】
【特許文献】
【０００４】
【特許文献１】引用なし
【発明の概要】
【発明が解決しようとする課題】
【０００５】
本発明は上記の問題点に鑑み、運転者の視界を遮ったり、エアコンの送風を遮ったりすることなく、またダッシュボードやセンターコンソールの見栄えを悪くすることなく、携帯型音楽プレーヤーまたは、携帯電話網を利用した高度情報端末や非純正カーオーディオ等の非純正機器をダッシュボードに見栄えを悪くすることなく、取り付けることが可能な車両のダッシュボード用ブラケットを提供することを目的とする。
【課題を解決するための手段】
【０００６】
請求項１に記載の発明は、コ字形を形成するように、正面パネルの左右両端又は上下両端に差込プレートを設けた車両のダッシュボード用ブラケットであって、
ダッシュボードに設けられている、幅寸法と高さ寸法が規格化されたカーオーディオ装着用の凹所の左右の壁面に前記左右の差込プレートをそれぞれ固着できるように、若しくは前記上下の差込プレートを前記凹所の上下の壁面にそれぞれ固着できるように、ブラケットの幅寸法と高さ寸法を前記凹所の幅寸法と高さ寸法に合わせて設定し、
前記正面パネルに開口を形成するとともに、開口の背後に非純正機器を収納するため、左右両側面と底面から成る断面コ字形を有し、前後両端を開放した構造の収納部を設け、
前記正面パネルの幅寸法及び高さ寸法を前記凹所の前面開口を略覆蓋できるように設定し
一端に携帯型音楽プレーヤー若しくは情報端末を保持するホルダーを着脱自在に装着でき、かつホルダーの向きを上下方向又は左右方向に調整可能なジョイントを前記正面パネルの前面に固定したことを特徴とする。
【発明の効果】
【０００７】
ほとんどの乗用車のダッシュボードにはドイツ工業規格ＤＩＮ７５４９０（ＩＳＯ７７３６国際標準規格）の所謂１ＤＩＮ又は２ＤＩＮのサイズ規格を採用したカーオーディオ収納用の凹所が形成されている。１ＤＩＮ規格を採用した乗用車で幅１８０ｍｍ×高さ５０ｍｍのサイズの凹所が形成され、２ＤＩＮ規格を採用した乗用車では幅１８０ｍｍ×高さ１００ｍｍのサイズを有する凹所が形成されている。請求項１に記載の発明はかかる点に着目してなされたものである。
【０００８】
しかして、請求項１に記載の車両のダッシュボード用ブラケットは幅寸法と高さ寸法を１ＤＩＮや２ＤＩＮの規格サイズで形成されている凹所の幅寸法と高さ寸法に合わせて設定したので、純正カーオーディオを取り外した凹所に取り付けることができる。
【０００９】
元来、規格サイズの凹所はそこに取り付けられる純正カーオーディオによって運転者の視界が遮られたり、エアコンの送風が遮られたりしないように配置されているので、ダッシュボード用ブラケットを凹所に取り付けても視界や送風が遮られるといった不都合を来たすことはない。
【００１０】
また、純正カーオーディオを取り付けるため、凹所には予めネジ穴や位置決め突起が設けられているので、これらを利用することにより、ダッシュボードに加工を施すことなく、ダッシュボード用ブラケットを凹所に取り付けることができる。
【００１１】
そして、請求項１に記載の発明では、正面パネルに開口を形成するとともに、開口の背後に携帯型音楽プレーヤーまたは情報端末や非純正カーオーディオ等の非純正機器を収納するための収納部を設けたので、この収納部に携帯型音楽プレーヤーまたは情報端末や非純正カーオーディオ等の非純正機器を収納できる。そのため、非純正機器でダッシュボードの見栄えが悪くなることはない。
【００１２】
また、正面パネルで凹所の前面開口を覆蓋できるので、凹所から純正カーオーディオを取り外しても、前面開口が露出せず、ダッシュボードの見栄えが悪くなることはない。
【００１３】
さらにまた、携帯型音楽プレーヤー等の非純正機器を収納部に収納できるだけでなく、正面パネルの前面に携帯型音楽プレーヤーや情報端末を取り付けることができ、また、その向きを調整できるので使い勝手が良い。
【図面の簡単な説明】
【００１４】
【図１】２ＤＩＮのサイズ規格のカーオーディオ収納用凹所に純正カーオーディオを装備したダッシュボードを示す説明図である。
【図２】２ＤＩＮのサイズ規格のカーオーディオ収納用凹所から純正カーオーディオを取り外したダッシュボードを示す説明図である。
【図３】２ＤＩＮのサイズ規格のカーオーディオ収納用凹所に本発明の第１実施例に係る車両のダッシュボード用ブラケットを取り付けたダッシュボードを示す説明図である。
【図４】本発明の第１実施例に係る車両のダッシュボード用ブラケットを示す斜視図である。
【図５】カーオーディオ収納用凹所に取り付けた本発明の第１実施例に係る車両のダッシュボード用ブラケットを示す平面図である。
【図６】本発明の第１実施例に係る車両のダッシュボード用ブラケットを示す一部破断した側面図である。
【図７】本発明の第１実施例に係る車両のダッシュボード用ブラケットのジョイントに装着されるホルダーを示す背面斜視図である。
【図８】本発明の第２実施例に係る車両のダッシュボード用ブラケットを示す斜視図である。
【図９】本発明の第３実施例に係る車両のダッシュボード用ブラケットを示す斜視図である。
【図１０】１ＤＩＮのサイズ規格のカーオーディオ収納用凹所を備えたダッシュボードを示す説明図である。
【図１１】１ＤＩＮのサイズ規格のカーオーディオ収納用凹所からカーオーディオを取り外したダッシュボードを示す説明図である。
【図１２】１ＤＩＮのサイズ規格のカーオーディオ収納用凹所に本発明の第４実施例に係る車両のダッシュボード用ブラケットを取り付けたダッシュボードを示す説明図である。
【図１３】本発明の第４実施例に係る車両のダッシュボード用ブラケットを示す斜視図である。
【図１４】本発明の第５実施例に係る車両のダッシュボード用ブラケットを示す斜視図である。
【図１５】本発明の第６実施例に係る車両のダッシュボード用ブラケットを示す斜視図である。
【図１６】本発明の第６実施例に係る車両のダッシュボード用ブラケットを示す平面図である。
【図１７】本発明の第６実施例に係る車両のダッシュボード用ブラケットのロックプレートを示す平面図である。
【図１８】本発明の第６実施例に係る車両のダッシュボード用ブラケットのロックプレートを示す側面図である。
【図１９】本発明の第７実施例に係る車両のダッシュボード用ブラケットを示す斜視図である。
【図２０】本発明の第７実施例に係る車両のダッシュボード用ブラケットを示す平面図である。
【図２１】本発明の第７実施例に係る車両のダッシュボード用ブラケットのロックプレートを示す平面図である。
【図２２】本発明の第７実施例に係る車両のダッシュボード用ブラケットのロックプレートを示す側面図である。
【実施例１】
【００１５】
以下に本発明を図面に基づき説明する。図１にはドイツ工業規格の２ＤＩＮのサイズ規格を備えたカーオーディオ収納用凹所１００に純正カーオーディオ１０１を装備した乗用車のダッシュボード１０３が示されている。また、図２には凹所１００から純正カーオーディオ１０１を取り外したダッシュボード１０３が示されている。図３には２ＤＩＮサイズの凹所１００に本発明の第１実施例に係る車両のダッシュボード用ブラケット１０を取り付けたダッシュボード１０３が示されている。また、図４〜図６には本発明の第１実施例に係る車両のダッシュボード用ブラケット１０が示されている。
【００１６】
当該車両のダッシュボード用ブラケット１０は差込プレート２１と正面パネル２２を備え、両差込プレート２１と正面パネル２２でコ字形を形成するように、正面パネル２２の左右両端に差込プレート２１が設けられている。各差込プレート２１は正面パネル２２側の一端が直角に折り曲げられ、折曲部２１ａがビス２３で正面パネル２２の左端部裏側と右端部裏側に固定されている。各差込プレート２１にはネジ穴２１ｂ及びネジ穴２１ｂと対を成す位置決め用小穴２１ｃが複数箇所に形成されている。本実施例ではネジ穴２１ｂと位置決め用小穴２１ｃの組が６組形成されている。
【００１７】
正面パネル２２の幅寸法及び高さ寸法は２ＤＩＮサイズの凹所１００内に格納でき、かつ凹所１００の前面開口１００ａを覆蓋するように設定されている。正面パネル２２には横長長方形の開口２２ａが形成され、開口２２ａの背部に収納部２４が固定されている。収納部２４は左右両側面２４ａと底面２４ｂから成る断面コ字形を有し、前後両端を開放した構造を備えている。一方の側面２４ａは差込プレート２１に一体に設けた折曲片２１ｄにビス２５で固定されている。他方の側面２４ａには掛止片２４ｃが一体に設けられ、正面パネル２２の背面に一体に設けた被掛止片２２ｂに掛止片２４ｃを掛止することにより正面パネル２２に掛止されている。
【００１８】
また、正面パネル２２の前面にはジョイント３０が固定されている。このジョイント３０は図６に示すように、内側湾曲片３１、外側湾曲体３２及びガイド片３３、ボルト３４及びナット３５を備え、内側湾曲片３１、外側湾曲体３２、ガイド片３３はいずれも樹脂で成形されている。内側湾曲片３１は中空球体の球面の一部を構成する湾曲面の形状を有し、内側中心部に貫通穴が形成されるとともに、貫通穴の周囲に６角穴が形成され、６角穴にナット３５がはめ込まれている。
【００１９】
外側湾曲体３２は筒体３２ａと蓋体３２ｂで構成され、筒体３２ａに蓋体３２ｂがネジ付けられている。筒体３２ａの底面３２ｃは中空球体の球面の一部を構成する湾曲面で構成され、湾曲底面３２ｃに貫通穴が形成されている。蓋体３２ｂの表面には係止突起片３２ｄと断面Ｌ字形のフック片３２ｅが一体成形されている。フック片３２ｅは２個形成され、その間に係止突起片３２ｄが形成されている。
【００２０】
ガイド片３３は中空球体の球面の一部を構成する湾曲面の形状を有し、湾曲面の周囲に正方形の外形を有するフランジ３３ａが一体成形されている。また、湾曲面の中心部には円形開口３３ｂが形成されている。ガイド片３３の湾曲面の曲率半径は内側湾曲片３１の湾曲面の曲率半径より大きく、外側湾曲体３２の湾曲底面３２ｃの曲率半径より小さく設定されている。ガイド片３３の円形開口３３ｂは内側湾曲片３１の湾曲面の最大外径より小さく、また、外側湾曲体３２の湾曲底面３２ｃの最大内径より小さい径寸法に設定されている。
【００２１】
ジョイント３０は、内側湾曲片３１の湾曲面とガイド片３３の湾曲面および外側湾曲体３２の湾曲底面３２ｃを重ね合わせ、内側湾曲片３１の貫通穴とガイド片３３の開口３３ｂ及び外側湾曲体３２の湾曲底面３２ｃの貫通穴にボルト３４を挿通し、ボルト３４をナット３５に締め付けることにより、内側湾曲片３１と外側湾曲体３２が、ガイド片３３にそって左右及び上下方向に摺動可能にガイド片３３に組み付けられている。
【００２２】
内側湾曲片３１とガイド片３３及び外側湾曲体３２をボルト３４とナット３５で一体に組み付けたジョイント３０は、ガイド片３３のフランジ３３ａの４隅に形成した左右一対及び上下一対の通孔にビス３６を挿通し、このビス３６で正面パネル２２の前面に固定されている。
【００２３】
本実施例に係る車両のダッシュボード用ブラケット１０の構造は以上の通りであって、同ブラケット１０は図５に示すように、ダッシュボード１０３のカーオーディオ収納用凹所１００に予めボルト１０４で固定されているカーオーディオ取付け用ブラケット１０５を利用して凹所１００に取り付けられる。カーオーディオ取付け用ブラケット１０５は断面コ字形を有し、左右の側面１０５ａにはビス用通孔１０５ｂと、ビス用通孔１０５ｂと対を成す位置決め用突起１０５ｃの組が複数箇所に形成されている。このビス用通孔１０５ｂと位置決め用突起１０５ｃの組の配置、間隔は差込プレート２１に形成したネジ穴２１ｂと位置決め用小穴２１ｃの配置、間隔と同じである。
ダッシュボード用ブラケット１０は差込プレート２１の位置決め用小穴２１ｃをカーオーディオ取付け用ブラケット１０５の位置決め用突起１０５ｃに嵌合し、ビス１０５ｄを通孔１０５ｂに挿通してネジ穴２１ｂにねじ込むことにより凹所１００に固定される。
【００２４】
ダッシュボード１０３のカーオーディオ用収納凹所１００に取り付けたダッシュボード用ブラケットのジョイント３０には、図７に示すホルダー４０が着脱可能に装着される。このホルダー４０の裏面には、外側湾曲体３３の蓋体３２ｂに形成したフック片３２ｅが係合する二つの第１係止孔４１と係止突起片３２ｄが係合する第２係止孔４２が形成されている。
第１係止孔４１は幅広の長方形孔４１ａと幅狭の長方形孔４１ｂからなり、第２係止孔４２は短寸の長方形孔からなる。
フック片３２ｅを長方形孔４１ａに挿通し、ホルダー４０をスライドさせるとフック片３２ｅが幅狭の長方形孔４１ｂに係合し、係止突起片３２ｄが第２係止孔４２に係合し、ホルダー４０がジョイント３０に着脱可能に装着される。このホルダー４０にはスマートフォンが着脱可能に装着される。
【００２５】
本実施例に車両のダッシュボード用ブラケット１０は、幅寸法と高さ寸法を２ＤＩＮの規格サイズで形成されている凹所１００の幅寸法と高さ寸法に合わせて設定したので、純正カーオーディオ１０１を取り外した凹所１００に取り付けることができる。そのため、ダッシュボード用ブラケット１０によって運転者の視界やエアコンの送風が遮られるといった不都合を来たすことはない。
【００２６】
また、純正カーオーディオ１０１を取り付けるため凹所に装着されているブラケット１０５を利用するので、ダッシュボード１０３に加工を施すことなく、ダッシュボード用ブラケット１０を凹所１００に取り付けることができる。
【００２７】
正面パネル２２に開口２２ａを形成し、開口２２ａの背後に非純正機器１０６を収納するための収納部２４を設けたので、図３に示すように、この収納部２４に非純正カーオーディオや携帯型音楽プレーヤー等の非純正機器１０６を収納できる。そのため、非純正機器１０６でダッシュボード１０３の見栄えが悪くなることはない。
【００２８】
正面パネル２２で凹所１００の前面開口１００ａを覆蓋するので、凹所１００から純正カーオーディオ１０１を取り外しても、前面開口１００ａが露出しない。従って、ダッシュボード１０３の見栄えが悪くなることはない。
【００２９】
非純正カーオーディオや携帯型音楽プレーヤー等の非純正機器１０６を収納部２４に収納できるだけでなく、ホルダー４０でスマートフォン等の携帯型情報端末を正面パネル２２の前面に取り付けることができ、また、携帯型情報端末の向きを調整できるので、使い勝手が良い。
【実施例２】
【００３０】
本発明の第２実施例に係る車両のダッシュボード用ブラケット５０を図８に示す。当該車両のダッシュボード用ブラケット１０の正面パネル２２には、第１実施例に係るブラケット１０の前面開口２２ａの縦幅の２倍の縦幅を有する前面開口２２ｂが形成され、前面開口２２ｂの背後に上下２段に収納部２４が取り付けられて、ジョイント３０は省略されている。
なお、第２実施例に係る車両のダッシュボード用ブラケットの他の構成は第１実施例に係るブラケット１０と同じであるので、同一の構成要素に同一の符号を付して説明を省略する。
【実施例３】
【００３１】
本発明の第３実施例に係る車両のダッシュボード用ブラケット６０を図９に示す。当該車両のダッシュボード用ブラケット６０の正面パネル２２には、第１実施例に係るダッシュボード用ブラケット１０の前面開口２２ａの縦幅の３倍の縦幅を有する前面開口２２ｃが形成され、前面開口２２ｃの背後に上下３段に収納部２４が取り付けられ、ジョイント３０は省略されている。
なお、第３実施例に係る他の構成は第１実施例に係るブラケット１０と同じであるので、同一の構成要素に同一の符号を付して説明を省略する。
【実施例４】
【００３２】
本発明の第４実施例に係る車両のダッシュボード用ブラケット７０を図１０〜図１３に基づき説明する。図１０にはドイツ工業規格の１ＤＩＮのサイズ規格を備えたカーオーディオ収納用凹所１１０に純正カーオーディオ１１１を装備した乗用車のダッシュボード１１３が示されている。また、図１１には凹所１１０から純正カーオーディオ１１１を取り外したダッシュボード１１３が示されている。図１２には１ＤＩＮサイズの凹所１１０に本発明の第４実施例に係るダッシュボード用ブラケット７０を取り付けたダッシュボード１１３が示されている。図１３には本発明の第４実施例に係るダッシュボード用ブラケット７０が示されている。
【００３３】
当該ダッシュボード用ブラケット７０は左右一対の差込プレート７１と両差込プレート７１をコ字形に連結する正面パネル７２から成る。差込プレート７１にはネジ穴２１ｂ及びネジ穴２１ｂと対を成す位置決め用小穴２１ｃが複数箇所に形成されている。
正面パネル７２の幅寸法及び高さ寸法は１ＤＩＮサイズの凹所１１０内に格納でき、かつ凹所１１０の前面開口を覆蓋するように設定されている。正面パネル７２には横長長方形の前面開口７２ａが形成され、前面開口７２ａの背部に収納部２４が取り付けられている。
なお、第４実施例に係るダッシュボード用ブラケット７０の他の構成は第１実施例に係るダッシュボード用ブラケット１０と同じであるので、同一の構成要素に同一の符号を付して説明を省略する。
【００３４】
第４実施例に係るダッシュボード用ブラケット７０では、正面パネル７２の幅寸法及び高さ寸法を１ＤＩＮサイズの凹所１１０内に格納でき、かつ凹所１１０の前面開口を覆蓋するように設定したので、１ＤＩＮサイズの凹所を備えたダッシュボード１１３に取り付けることができる。
【実施例５】
【００３５】
本発明の第５実施例に係るダッシュボード用ブラケット８０を図１４に示す。当該ダッシュボード用ブラケット８０の正面パネル７２には、第４実施例に係るダッシュボード用ブラケット７０の前面開口７２ａの縦幅の２倍の縦幅を有する前面開口７２ｂが形成され、前面開口７２ｂの背後に上下２段に収納部２４が取り付けられ、ジョイントが省略されている。
なお、第５実施例に係る他の構成は第４実施例に係るダッシュボード用ブラケット７０と同じであるので、同一の構成要素に同一の符号を付して説明を省略する。
【実施例６】
【００３６】
本発明の第６実施例に係るダッシュボード用ブラケット９０を図１５及び図１６に示す。当該車両のダッシュボード用ブラケット９０は正面パネル９１と正面パネル９１の裏面に固定した差込フレーム９２を備えている。
【００３７】
正面パネル９１の幅寸法及び高さ寸法は２ＤＩＮサイズの凹所１００内に格納でき、かつ凹所１００の前面開口１００ａを覆蓋するように設定されている。この正面パネル９１には開口９１ａが形成されている。
【００３８】
差込フレーム９２は左右一対の差込プレート９２ａと両差込プレート９２ａを連結する連結プレート９２ｂを備え、連結プレート９２ｂには正面パネル９１の開口９１ａと略同じサイズの開口９２ｃが形成されている。そして、開口９２ｃの背後に上下３段の収納部９３が設けられている。
【００３９】
各収納部９３は左右両側面９３ａと、両側面９３ａを連結する底面９３ｂから成る断面コ字形を有する。底面９３ｂは前端部が連結プレート９２ｂに接合され、右端部が右側の差込プレート９２ａに接合されている。収納部９３の各側面９３ａにおける開口部９２ｃの近辺にロック穴９３ｃが形成されている。また、各側面９３ａに隣接して底面９３ｂにスライドレールプレート９３ｄが固定されている。差込フレーム９２はその開口部９２ｃが正面パネル９１の開口９１ａに整列するように、正面パネル９１の裏面に図示略のビスで固定されている。
【００４０】
各収納部９３にはロックプレート９４を備えた非純正機器１０６が装着される。ロックプレート９４は図１７及び図１８に示すように、ベースプレート９４ａに取り付けたロックバネ９４ｂを備えている。ロックバネ９４ｂは中間部に突起部９４ｃを有する所要形状に屈曲形成した板バネが用いられ、ベースプレート９４ａに一端が固定されている。このロックプレート９４は非純正機器１０６の左右両側面に皿ビスで固定されている。
【００４１】
第６実施例に係るダッシュボード用ブラケット９０の構造は以上の通りであって、前述した第１実施例に係るダッシュボード用ブラケット１０と同様に、ダッシュボード１０３のカーオーディオ収納用凹所１００に予めボルト１０４で固定されているカーオーディオ取付け用ブラケット１０５を利用して凹所１００に取り付けられる。
【００４２】
非純正機器１０６はダッシュボード１０３に取り付けたブラケット９０の各収納部９３に開口部９１ａ，９２ｃからスライドレールプレート９３ｄに沿って挿入する。非純正機器１０６の前面が正面パネル９１と略面一になるまで、非純正機器１０６を収納部に挿入すると、ロックバネ９４ｂの突起部９４ｃがロック穴９３ｃに係止され、非純正機器１０６が収納部に装着される。なお、非純正機器１０６を収納部９３から取り出すにはロック解除片９４ｄをロックプレート９４に沿って収納部９３に挿入する。これにより、突起部９４ｃが内側へ撓み、ロック穴９３ｃから外れるので、非純正機器１０６を収納部９３から取り出すことができる。
【実施例７】
【００４３】
本発明の第７実施例に係るダッシュボード用ブラケット９５を図１９及び図２０に示す。当該ダッシュボード用ブラケット９５の収納部９３には取付金具９６を皿ビスで左右両側面に固定した非純正機器１０６が装着される。この取付金具９６は図２１及び図２２に示すように、一端に外側折曲部９６ａを有する。
【００４４】
第７実施例に係るダッシュボード用ブラケット９５を用いて非純正機器１０６をダッシュボード１０３のカーオーディオ収納用凹所１００に装着するには、予め、差込フレーム９２をカーオーディオ収納用凹所１００に取り付ける。しかる後に、取付金具９６を固定した非純正機器１０６を各収納部９３に挿入し、取付金具９６の外側折曲部９６ａを皿ビスで差込フレーム９２の連結プレート９２ｂに固定する。次に正面パネル９１をビスで連結プレート９２ｂに固定する。
なお、第７実施例に係るダッシュボード用ブラケット９５における収納部９３の左右両側面９３ａにはロック穴９３ｃが形成されていないが、その他の構成は第６実施例に係るダッシュボード用ブラケット９０と同じであるので、同一の構成要素に同一の符号を付して説明を省略する。
【符号の説明】
【００４５】
１０，５０，６０，７０，８０，９０，９５…車両のダッシュボード用ブラケット
２１，７１，９２ａ…差込プレート
２２，７２，８２，９１…正面パネル
２２ａ，２２ｂ，２２ｃ，７２ａ，７２ｂ，９１ａ…前面開口
２４，９３…収納部
３０…ジョイント
４０…ホルダー
１００，１１０…カーオーディオ収納用凹所
１０１，１１１…純正カーオーディオ
１０３，１１３…ダッシュボード
１０６…非純正機器
【図１】
0005552643.tif 000002
【図２】
0005552643.tif 000003
【図３】
0005552643.tif 000004
【図４】
0005552643.tif 000005
【図５】
0005552643.tif 000006
【図６】
0005552643.tif 000007
【図７】
0005552643.tif 000008
【図８】
0005552643.tif 000009
【図９】
0005552643.tif 000010
【図１０】
0005552643.tif 000011
【図１１】
0005552643.tif 000012
【図１２】
0005552643.tif 000013
【図１３】
0005552643.tif 000014
【図１４】
0005552643.tif 000015
【図１５】
0005552643.tif 000016
【図１６】
0005552643.tif 000017
【図１７】
0005552643.tif 000018
【図１８】
0005552643.tif 000019
【図１９】
0005552643.tif 000020
【図２０】
0005552643.tif 000021
【図２１】
0005552643.tif 000022
【図２２】
0005552643.tif 000023